(57)【要約】【課題】精密プロセス機器および生産ライン設置の安定性維持において、免震目的を達成するための耐震特性を備えた格子バターンスラブ構造体およびその施工方法によって、建屋構造体における微震効力の発生を低減させて、建屋構造体全体の抗震性あよび安定性の向上に供しうる格子バターンスラブの構造体およびその施工方法を提供する。【解決手段】複数の第1の主梁および複数の第2の主梁をそれぞれ並列に配置し、複数下部梁を前記第2の主梁間に架橋することにより、互いに間離して排列する複数溝部を包含させ、且つ、それぞれの交差部を有する複数の上部梁を、前記第1の主梁間において平行に架設するとともに、前記第1の主梁と前記第2の主梁とで囲んで形成する主梁枠体であって、前記下部梁の前記溝部と、前記複数の上部梁における前記交差部とを対向させて搭接し、前記下部梁と前記上部梁とを互いに交差させて畳合せることにより、複数の主柱と支柱とをそれぞれの梁体に連結して柵状構造体を構成する。【選択図】 図４
2008266968.tif 000002
【特許請求の範囲】
【請求項１】
複数の第1の主梁および複数の第2の主梁をそれぞれ並列に配置し、複数下部梁を前記第2の主梁間に架橋設置することにより、互いに間離して排列する複数溝部を包含させ、且つ、それぞれの交差部を有する複数の上部梁を、前記第1の主梁間において平行に架設するとともに、前記第1の主梁と前記第2の主梁とで囲んで形成された主梁枠体であって、
前記下部梁の前記溝部と、前記複数の上部梁における前記交差部とを対向させて搭接させ、前記下部梁と前記上部梁とを互いに交差させて畳合せることにより、複数の主柱と支柱とをそれぞれの梁体に連結して柵状構造体を形成した建築物において、
前記主梁枠体および複数の梁ユニットとの交差組合せを介して地震時の震動効力を有効的に低減させることを特徴とする格子バターンスラブ構造体およびその施工方法。
【請求項２】
前記支柱上端に複数の支柱竪向鉄筋を接続し、前記第1の主梁および前記第2の主梁にそれぞれの支柱連結部備えて、前記支柱および前記支柱連結部を互いに対向させて連結したことを特徴とする請求項1に記載の格子バターンスラブ構造体およびその施工方法。
【請求項３】
前記第2の主梁において、複数ユニットの対向リブ枠鉄筋を、前記第2主梁の両側辺に設置して前記下部梁とに対向させることを特徴とする請求項1に記載の格子バターンスラブ構造体およびその施工方法。
【発明の詳細な説明】
【技術分野】
【０００１】
本発明は、格子バターンスラブの構造体及びその施工方法に関し、特に主梁側枠体と、複数の下部梁及び上部梁とを有し、複数の主柱および支柱の連結による相互の交差連結によって、建築物の格子バターンスラブ構造体を構成し、主梁枠体および複数の梁ユニットとの交差組合せを介して地震時の震動を有効的に低減させうる格子バターンスラブ構造体およびその施工方法の提供に係わる。
【背景技術】
【０００２】
目前の製造業界において建てられた工場用建築物、殊に、ウエハー生産等の工場として使用されるハイ・テク(high-tech)産業における特殊用途の建築物は、精密プロセス機器の設置安定により、通常は建屋のスラブにおいて、軽微震動に対抗しうる前記抗微震目的を達成するための耐震特性を備えた格子板を、建屋スラブおよび機器・設備の据付用主構造体として用いられてある。
【０００３】
然るに、前記格子板の部分構造は、当初の設計強度および応用方式によって制限されるゆえ、当該設計強度以上の波動影響における場合は、当該微震効用を有効的に低減することはできない。従って、精密プロセス機器および生産ラインの安定性においてある程度の危険を伴う。
【発明の開示】
【発明が解決しようとする課題】
【０００４】
従って、本発明の課題は、前記精密プロセス機器および生産ライン設置の安定性維持において、免震目的を達成するための耐震特性を備えた格子バターンスラブ構造体およびその施工方法の提供である。
【０００５】
拠って、本発明の主要目的は、有効的に建屋構造における微震効力の発生低減に供しうるスラブ構造の提供であり、
【０００６】
又の目的は、格子バターンのスラブ構造における建屋構造全体の抗震性あよび安定性の向上である。
【課題を解決するための手段】
【０００７】
発明人は、従来技術に見られる欠陥に鑑み、鋭意研究の結果における成果の格子バターンスラブ構造体およびその施工方法は；
格子バターンスラブ構造体およびその施工方法において、複数の第1の主梁および複数の第2の主梁をそれぞれ並列に配置し、複数下部梁を前記第2の主梁間に架設することにより、互いに間離して排列する複数溝部を包含させ、且つ、それぞれの交差部を有する複数の上部梁を、前記第1の主梁間において平行に架設するとともに、前記第1の主梁と前記第2の主梁とで囲んで形成する主梁枠体であって、前記下部梁の前記溝部と、前記複数の上部梁における前記交差部とを対向させて搭接させ、前記下部梁と前記上部梁とを互いに交差させて畳合せることにより、複数の主柱と支柱とをそれぞれの梁体に連結して柵状構造体を形成した建築物において、前記主梁枠体および複数の梁ユニットとの交差組合せを介して地震時の震動効力を有効的に低減させることを特徴とする。
【０００８】
また、本発明の前記格子バターンスラブ構造体およびその施工方法は、前記支柱上端に複数の支柱竪向鉄筋を接続し、前記第1の主梁および前記第2の主梁にそれぞれの支柱連結部備えて、前記支柱および前記支柱連結部を互いに対向させて連結したことを特徴とする。
【０００９】
なお、本発明における前記格子バターンスラブ構造体およびその施工方法は、前記第2の主梁において、複数ユニットの対向リブ枠鉄筋を、前記第2主梁の両側辺に設置して前記下部梁とに対向させることを特徴とする。
【発明の効果】
【００１０】
本発明における格子バターンスラブ構造体およびその施工方法は、有効的に建屋構造体における微震効力の発生低減において、格子バターンスラブの構造体を一つの格子バターンスラブ構造体ユニットに形成して、建築基地を必要面積まで互いに直列させ、建屋構造体が外力影響により微震動を発生した場合、本発明の格子パターンスラブ構造体に備えられた抗微震性によって、有効的に微震効力の発生を低減させる。従って、本発明の格子バターンスラブにおける建屋構造体は工場の建築物などに適用される。
【発明を実施するための最良の形態】
【００１１】
本発明の格子バターンスラブ構造体およびその施工方法は、地震時において発生する微震効力(effect)を有効的に低減させうるゆえ、工場の建築物などに適用される。然し、異なる実施例において、本発明の格子バターンのスラブ構造体は、建屋建造、倉庫建設などの建屋構造体などをも包含することをも先ず明記する。
【００１２】
図1および図2は、本発明格子バターンスラブの構造体における実施例の組立斜視図(一)と(二)である。格子バターンスラブの構造体およびその施工方法は、主梁枠体200と、複数の下部梁500あよび複数の上部梁600とを含有し、前記主梁枠体200に、並列した複数第1の主梁210および並列する複数の第2の主梁220を包含して、枠状の前記主梁枠体200を構成する。また、前記複数の下部梁500は、前記第2の主梁220間に架設して、互いに間離排列を成す複数溝部510を備え、前記の複数上部梁600は、交差部を上部梁毎に形成し、且つ、前記上部梁600を前記第1の主梁210間において、互いに平行させた架橋状態に配置する。なお、前記の複数下部梁500における前記各溝部510と前記の複数上部梁600の前記交差部とを対向して連結して、前記した部梁500と前記上部梁600とを交差状に畳合させて柵状スラブ構造体110を構成させることにより複数の格子孔120備える。
【００１３】
然る後、主梁枠体200の前記第1の主梁210と前記第2の主梁220を、角隅部に配設した複数主柱300との連結により、枠形状の主梁体を形成させ、前記第1の主梁210と前記第2の主梁220は、複数主柱300の上端交接部分に設置された型板穴からのコンクリート注入および凝固を介して前記主梁枠体200の角隅部分を互いに連結させて主梁枠体200を構成する。
【００１４】
本発明の前記第1の主梁210は、逆T字型の梁構造体であるが、一般の立方または長方形の梁構造体であってもよく、当該端部は徑方向に沿って両側に鉄筋接続具410を設けて鉄筋の接続、またはスチールビームの設置によってフランジ213を形成する。而して、第2の主梁220上端に鉄筋箍ユニット240を設けて上部鉄筋230との套接畳合を成す。なお、前記上部鉄筋230は、第1の主梁上端211および第2の主梁上端221に設置され、前記主柱300との連結により各上部梁600の端部搭接に供す。
【００１５】
なお、本発明の格子バターンスラブ構造体には、複数の支柱400と下部梁500とを包含し、前記第1の主梁210および前記第2の主梁220とに対向して連結される。前記下部梁500と、前記第1の主梁210および第2の主梁220には、それぞれの支柱連結部を備え、また、支柱400上端には、複数の支柱縦筋鉄筋420を有し、第1の主梁支柱連結部212と第2の主梁支柱連結部222および下部梁支柱連結部540に対向させて連結する。また、各支柱連結部には複数の連結孔541を具え、前記支柱縦筋鉄筋420を前記連結孔541に挿入して支柱400と接続される。本実施例では、支柱400の上端に複数の鉄筋接続具410を設け、前記支柱縦筋鉄筋420との連結に供される。然るに、その異なる別の実施例では、ブレキャスト方式を用いて、前記支柱400上端に支柱縦筋鉄筋420を直接形成することも可である。また、それぞれの支柱連結部側部にペースト注入口を設け、微膨張のコンクリート圧入に供する。
【００１６】
前記下部梁500は、第1の方向800に沿って第2主梁220の間に架設され、複数の溝部510を互いに間離して排列し、近隣両溝部510の間に複数の梁体鉄筋箍520を設け、互いに間離して排列される。なお、梁体毎に側部およびそれぞれの二側部下端を連結するベース部を備え、各側部のフリー端側を彎曲してホック521を形成する。而して、各上部梁600に連結鉄筋610を設置するとともに、第2方向900に沿って互いに平行する複数交差部620を第1の主梁210間に架橋設置し、前記交差部620と下部梁500の前記溝部510とを対向して連結することにより交差状の畳合した柵状スラブ構造体110を形成させることで複数の格子孔120を生成し、各上部梁600の交差部620に第1側621および第2側622を備える。前記第1側621および第2側622は、それぞれの複数対向リブ箍鉄筋700を互いに間離させて排列してあり、前記交差部620は、内側に嵌合した複数の鉄筋連結具630を有して、複数ユニットの前記対向リブ箍鉄筋700とに結合させる。
【００１７】
図3および図4は、本発明格子バターンスラブの構造体における実施例を示す組立斜視図(三)と(四)であって、格子バターンスラブ構造体における施工方法の後段階部分の組立斜視図が示されてある。前記第2の主梁220の両側における複数ユニットの対向リブ箍鉄筋700は、下部梁500の端部に対向して設置した状態を示し、其のうち、前記交差部620の第1側621に連結された複数のユニットの対向リブ箍鉄筋700は、近隣の対向交差部620第2側622の複数ユニットの前記対向リブ箍鉄筋に連結されることによって、互いに嵌合した梁の連結構造体710を形成し、なお、前記梁の連結構造体710には、鉄筋キャップユニット670を含有して前記の梁連結構造体710と畳接される。
【００１８】
また、前記の梁連結構造体710両側に型板ユニット680を設け、コンクリートの流し込みにより梁連結構造体710の整体が構成される。なお、前記型板ユニット680には係止スタッド681を有し、前記型板ユニット680をそれぞれの上部梁600上面迄に摺動させうる。前記梁の連結構造体710におけるコンクリートを流し込んだ後、型板ユニット680を外して格子バターンスラブの構造体100を完成する。
【００１９】
図5aおよび図5bは、本発明格子バターンスラブの構造体における別の実施例を示す組立斜視図である。建築基地上に設置された複数の主梁300を互いに間離して排列するとともに複数の支柱400をその間に排列される。前記第1の主梁210は、近隣する両主柱300の間に設置され、下部梁500は第1の方向800に沿って近隣の両支柱400間において第1の主梁210に平行させ、なお、下部梁500に下部鉄筋530を含有させて下部梁500の両端部を設置する。前記第2の主梁220は、第2の方向900に沿って、複数主柱300の間において平行状に設置し、尚且つ、下部鉄筋530を支柱連結部に挿入して、第2の主梁220と連結する
【００２０】
図6aおよび図6bは、本発明の格子バターンスラブ構造体の又の実施例における組立斜視図を示す。図6aおよび図6bは、図5aおよび図5bにおける格子バターンスラブの構造体を代替えするより良き実施例であって、下部鉄筋530を下部梁支柱連結部540に穿通し、近隣格子パターンスラブ構造体100下部梁500における他の下部鉄筋530と交差させて、隣接する両支柱400間に排列する。この場合は、短い跨線距離の下部梁500を近隣する両支柱400間に架設して長い下部梁530に連結させて架橋構造体550形成する。
【００２１】
図7、図8および図9は、本発明格子バターンスラブの構造における更の
実施例を示す組立斜視図である。 前記第1の主梁210と第2の主梁220との両端底部には下部鉄筋530を設けて、前記主柱300との搭設に供される。また、第1の主梁210および第2の主梁220をブレキャスト方式にて成形する場合は、両端部にフランジ部を形成して、前記主柱300間に跨設され、前記複数の上部梁600は、第2の方向900に沿って、互いに平行した状態で第1の主梁210間に跨置され、それぞれの上部梁600の交差部620にサドル部640を有し、当該サドル部640を互いに間離して収納槽650を構成し、第1の主梁210の間に跨設する。
【００２２】
然し、本発明の格子バターンスラブ構造体100は、上部連結梁660と収納槽650とを対向して設置し、前記上部連結梁660に上部鉄筋661を有す。なお、上部鉄筋661を延伸させて収納槽650穿通し、鉄筋の一部分を前記サドル部640に、又の一部分は近隣のサドル部640を穿通して、第2の主梁220と連結する。また、前記サドル部640に鉄筋箍ユニット641を含み、第1の方向800に沿ってサドル部640の上端に設置して、当該部分の上部鉄筋660に連結されてある。サドル部640には鉄筋キャップユニット670が設けられ、近隣のサドル部640を穿通した部分の上部鉄筋661とに畳接される。なお、前記鉄筋キャップユニット670の両側に、型板ユニット680を備えて、コンクリートを流し込むことで上部連結梁660全構造体の形成に供しうる。また、前記型板ユニット680に係止スタッド681が含有され、型板ユニット680を移動することによって、それぞれの上部梁600上端と搭接してコンクリートの流し込みによる成形のあと、前記型板ユニット680を取り外すことによって、格子バターンスラブの構造体100が完成される。従って、前記主梁枠体および複数の梁ユニットでの交差組合せにより、有効的に地震時の震動を低減することが可能である。
【００２３】
本発明は、以上の相関実施例での説明により詳述されるも、前記実施例は、単なる本発明の実施事例であって、既掲示の実施例によって本発明の範囲を規制することではない。従って、特許請求の範囲に包含された主旨および範囲における修正とその均等設置などは本発明の範囲に含まれることをも主張する。
【図面の簡単な説明】
【００２４】
【図１】本発明格子バターンスラブの構造実施例の組み立てを示す斜視図(一)である。
【図２】本発明格子バターンスラブの構造実施例の組み立てを示す斜視図(二)である。
【図３】本発明格子バターンスラブの構造実施例の組み立てを示す斜視図(三)である。
【図４】本発明格子バターンスラブの構造実施例の組み立てを示す斜視図(四)である。
【図５ａ】本発明格子バターンスラブの構造における別の実施例を示す組立斜視図(一)である。
【図５ｂ】本発明格子バターンスラブの構造における別の実施例を示す組立斜視図(二)である。
【図６ａ】本発明格子バターンスラブの構造における又の実施例を示す組立斜視図(一)である。
【図６ｂ】本発明格子バターンスラブの構造における又の実施例を示す組立立体図(二)である。
【図７】本発明格子バターンスラブの構造における更の実施例を示す組立斜視図(一)である。
【図８】本発明格子バターンスラブの構造における更の実施例を示す組立斜視図(二)である。
【図９】本発明格子バターンスラブの構造における更の実施麗を示す組立斜視図(三)である。
【符号の説明】
【００２５】
100  格子バターンスラブの構造体
110  柵状スラブのスラブ構造体
120  格子孔
200  主梁側枠体
210  第1の主梁
211  第1の主梁上端
212  第1主梁の支柱連結部
213  フランジ
220  第2の主梁
221  第2の主梁上端
222  第1主梁の支柱連結部
230  鉄筋箍
240  ユニット
300  主柱
400  支柱
410  鉄筋接続具
420  支柱縦筋鉄筋
500  下部梁
510  溝部
520  梁体鉄筋箍
521  ホック
530  下部鉄筋
540  下部梁支柱連結部
541  連結孔
550  架橋構造
600  上部梁
610  連結鉄筋
620  交差部
621  第1側
622  第2側
630  鉄筋接続具
640  サドル部
641  鉄筋箍ユニット
650  収納槽
660  上部連結梁
661  上部鉄筋
670  鉄筋キャップユニット
680  型板ユニット
681  係止スタッド
700  対向リブ箍鉄筋
710  梁の連結構造
800  第1の方向
900  第2の方向
【図１】
2008266968.tif 000003
【図２】
2008266968.tif 000004
【図３】
2008266968.tif 000005
【図４】
2008266968.tif 000006
【図５ａ】
2008266968.tif 000007
【図５ｂ】
2008266968.tif 000008
【図６ａ】
2008266968.tif 000009
【図６ｂ】
2008266968.tif 000010
【図７】
2008266968.tif 000011
【図８】
2008266968.tif 000012
【図９】
2008266968.tif 000013